(57)【要約】【課題】高集積化された半導体集積回路の厚さを薄くすることができる。【解決手段】基板上に、第１のバンプと接続する第１の半導体素子層と、第１のシート状繊維体と第１の有機樹脂を有する第１の構造体と、第１の構造体を貫通する第１の貫通電極を作製し、第２のバンプに接続する第２の半導体素子層と、第２のシート状繊維体と第２の有機樹脂を有する第２の構造体を作製し、第３のシート状繊維体と第３の有機樹脂を有する第３の構造体の、未硬化の第３の有機樹脂上に金属粒子を有する導電性樹脂を配置することより未硬化の第３の有機樹脂が溶解し、金属粒子が第３のシート状繊維体の間を移動し、第３の構造体を貫通する第３の貫通電極が形成され、基板上で第１の貫通電極、第３の貫通電極、第２のバンプが重なり合うように配置し、第３の有機樹脂を硬化させる半導体装置及びその作製方法に関する。【選択図】図９
2014135516.tif 000002
【特許請求の範囲】
【請求項１】
第１の基板上方に、第１の剥離層を形成する工程と、
前記第１の剥離層上方に、第１の半導体素子を有する第１の層を形成する工程と、
前記第１の層と電気的に接続され、且つ前記第１の剥離層と接する領域を有する第１の配線を形成する工程と、
第２の基板上方に、第２の剥離層を形成する工程と、
前記第２の剥離層上方に、第２の半導体素子を有する第２の層を形成する工程と、
前記第２の層と電気的に接続され、且つ前記第２の剥離層と接する領域を有する第２の配線を形成する工程と、
前記第２の層及び前記第２の配線上方に、第１のシート状繊維体及び未硬化の第１の有機樹脂を有する第１の構造体を形成する工程と、
前記第１の構造体上方に前記未硬化の第１の有機樹脂を溶解させることができる溶剤と、導電物と、を有するペーストを配置し、前記第１のシート状繊維体を分断することなく第１の貫通電極を形成する工程と、
前記第１の有機樹脂を硬化する工程と、
前記第２の層を前記第２の基板から剥離する工程と、
第２のシート状繊維体及び未硬化の第２の有機樹脂を有する第２の構造体を用意する工程と、
前記第２の構造体上方に前記未硬化の第２の有機樹脂を溶解させることができる溶剤と、導電物と、を有するペーストを配置し、前記第２のシート状繊維体を分断することなく第２の貫通電極を形成する工程と、
前記第１の層上方に前記第２の構造体を、前記第２の構造体上方に前記第２の層を、配置する工程と、
前記第２の有機樹脂を硬化して、前記第１の層と、前記第２の構造体と、前記第２の層と、を固着する工程と、
前記第１の層を前記第１の基板から剥離する工程と、を有することを特徴とする半導体装置の作製方法。
【請求項２】
請求項１において、
前記第１のシート状繊維体と、前記第２のシート状繊維体とは、ガラス繊維を有することを特徴とする半導体装置の作製方法。
【発明の詳細な説明】
【技術分野】
【０００１】
半導体装置及びその作製方法に関する。
【背景技術】
【０００２】
より小型、薄型化を図られている半導体集積回路において、外的ストレスに対するその
強度を高めることは重要である。
【０００３】
有機樹脂とシート状繊維体、例えばガラスクロスを使用したプリプレグが知られている
（特許文献１参照）。
【先行技術文献】
【特許文献】
【０００４】
【特許文献１】特開２００２−１９８６５８号公報
【発明の概要】
【発明が解決しようとする課題】
【０００５】
半導体集積回路を多層化すると、面積を広げることなくさらに高集積することが可能で
ある。プリプレグは保護材として丈夫なので、そのような高集積の半導体集積回路を作製
しても、半導体集積回路内の半導体素子層の物理的な破壊を防ぐことができる。
【０００６】
しかし、半導体集積回路をさらに多層化すると、複数の半導体集積回路を電気的に接続
する配線を作製しなければならない。そのためには、プリプレグの内部を貫通する貫通孔
を空け、貫通孔に配線を形成しなくてはならない。
【０００７】
プリプレグに貫通孔を形成するということは、繊維体にダメージを与えるということで
あり、プリプレグの強度を損なう恐れがある。
【０００８】
また、繊維体と有機樹脂の両方に孔を空けないといけないので、作製工程が多くなって
しまう。
【０００９】
またプリプレグで覆われた半導体集積回路を重ね合わせて高集積化しようとすると、プ
リプレグで覆われた半導体集積回路は柔らかいので、ゆがみやたわみが発生してしまい、
貼り合わせのアライメントが取りづらいという恐れがある。
【００１０】
そこで本明細書に開示される発明の１つの概要は、プリプレグで覆われた半導体集積回
路を貼り合わせる際の、アライメント精度を向上させることを課題の一つとする。
【００１１】
また本明細書に開示される発明の１つの概要は、繊維体の強度を保ちつつ、プリプレグ
の内部に通電領域を形成することを課題の一つとする。
【課題を解決するための手段】
【００１２】
プリプレグで覆われた半導体集積回路を複数個重ね合わせる際に、有機樹脂が未硬化の
プリプレグを間に挟んで重ね合わせる。未硬化の有機樹脂は加熱すると硬化するので、プ
リプレグで覆われた半導体集積回路を上下に貼り合わせることができ、高集積化が可能で
ある。
【００１３】
有機樹脂が未硬化のプリプレグに、導電性樹脂、例えば金属ペーストを配置すると、有
機樹脂と金属ペースト中のペーストが反応して、有機樹脂が溶け、溶けた部分に金属ペー
スト中の金属粒子が入り込み、繊維体の間を金属粒子が移動して、プリプレグの表面と裏
面を導通させる通電領域を形成する。
【００１４】
あらかじめ有機樹脂が未硬化のプリプレグに通電領域を形成しておき、それを挟んでプ
リプレグで覆われた半導体集積回路と他の半導体集積回路を貼り合わせれば、それぞれの
半導体集積回路を電気的に接続することができる。
【００１５】
また基板上にプリプレグで覆われた半導体集積回路を形成し、その上に有機樹脂が未硬
化のプリプレグを配置し、さらに別のプリプレグで覆われた半導体集積回路を配置して、
未硬化の有機樹脂を硬化させて貼り合わせれば、基板上にプリプレグを重ねてゆけばよい
のでアライメントの精度が向上する。
【００１６】
基板上に、第１のバンプと電気的に接続された第１の半導体素子層と、前記第１の半導
体素子層上に、第１のシート状繊維体と硬化した第１の有機樹脂を有する第１の構造体と
、前記第１の構造体を貫通し、かつ前記第１のバンプと電気的に接続される第１の貫通電
極と、を有する第１の半導体回路素子を作製する。また、第２のバンプに電気的に接続さ
れた第２の半導体素子層と、前記第２の半導体素子層上に、第２のシート状繊維体と硬化
した第２の有機樹脂を有する第２の構造体と、前記第２の構造体を貫通し、かつ前記第２
のバンプと電気的に接続される第２の貫通電極とを有する第２の半導体回路素子を作製す
る。さらに、第３のシート状繊維体と未硬化の第３の有機樹脂を有する第３の構造体を形
成し、前記未硬化の第３の有機樹脂上に、金属粒子を有する導電性樹脂を配置し、前記導
電性樹脂により、前記未硬化の第３の有機樹脂が溶解し、前記金属粒子が前記第３のシー
ト状繊維体の間を移動して、前記第３の構造体を貫通する第３の貫通電極が形成された固
着シートを作製する。前記基板上で、前記第１の貫通電極、前記第３の貫通電極、前記第
２のバンプが重なり合うように、前記第１の半導体回路素子、前記固着シート、前記第２
の半導体回路素子を配置し、前記固着シートの、未硬化の第３の有機樹脂を硬化させるこ
とにより、前記第１の半導体回路素子、前記固着シート、前記第２の半導体回路素子を固
着させ、前記固着された第１の半導体回路素子、固着シート、第２の半導体回路素子から
、前記基板を剥離することを特徴とする半導体装置の作製方法に関する。
【００１７】
また、基板上に、第１のバンプと電気的に接続された第１の半導体素子層を形成し、前
記第１の半導体素子層上に、第１のシート状繊維体と未硬化の第１の有機樹脂を有する第
１の構造体を形成し、前記未硬化の第１の有機樹脂上に、金属粒子を有する第１の導電性
樹脂を配置し、前記第１の導電性樹脂により、前記未硬化の第１の有機樹脂が溶解し、前
記金属粒子が前記第１のシート状繊維体の間を移動して、前記第１の構造体を貫通し、か
つ前記第１のバンプと電気的に接続される第１の貫通電極が形成され、前記未硬化の第１
の有機樹脂を硬化させて、前記第１の構造体を前記第１の半導体素子層に固着させた第１
の半導体回路素子を作製する。また、第２のバンプに電気的に接続された第２の半導体素
子層上に、第２のシート状繊維体と未硬化の第２の有機樹脂を有する第２の構造体を形成
し、前記未硬化の第２の有機樹脂上に、金属粒子を有する第２の導電性樹脂を配置し、前
記第２の導電性樹脂により、前記未硬化の第２の有機樹脂が溶解し、前記金属粒子が前記
第２のシート状繊維体の間を移動して、前記第２の構造体を貫通し、かつ前記第２のバン
プと電気的に接続される第２の貫通電極が形成され、前記第２有機樹脂を硬化させて、前
記第２の構造体を前記第２の半導体素子層に固着させた第２の半導体回路素子を作製する
。さらに、第３のシート状繊維体と未硬化の第３の有機樹脂を有する第３の構造体を形成
し、前記未硬化の第３の有機樹脂上に、金属粒子を有する第３の導電性樹脂を配置し、前
記第３の導電性樹脂により、前記未硬化の第３の有機樹脂が溶解し、前記金属粒子が前記
第３のシート状繊維体の間を移動して、前記第３の構造体を貫通する第３の貫通電極が形
成された固着シートを作製する。前記基板上で、前記第１の貫通電極、前記第３の貫通電
極、前記第２のバンプが重なり合うように、前記第１の半導体回路素子、前記固着シート
、前記第２の半導体回路素子を配置し、前記固着シートの、未硬化の第３の有機樹脂を硬
化させることにより、前記第１の半導体回路素子、前記固着シート、前記第２の半導体回
路素子を固着させ、前記固着された第１の半導体回路素子、固着シート、第２の半導体回
路素子から、前記基板を剥離することを特徴とする半導体装置の作製方法に関する。
【００１８】
前記金属粒子は、銅（Ｃｕ）、銀（Ａｇ）、ニッケル（Ｎｉ）、金（Ａｕ）、白金（Ｐ
ｔ）、パラジウム（Ｐｄ）、タンタル（Ｔａ）、モリブデン（Ｍｏ）、チタン（Ｔｉ）の
いずれかを含む。
【００１９】
また、前記第１のシート状繊維体、前記第２のシート状繊維体、前記第３のシート状繊
維体はそれぞれ、ガラス繊維を有している。
【００２０】
また、貫通電極を有し、シート状繊維体と有機樹脂を有する構造体と、前記貫通電極と
接触し、かつ、前記貫通電極と反対側の面に露出する第１の電極を有する第１の半導体素
子層と、前記貫通電極と接触し、かつ、前記貫通電極と反対側の面に露出する第２の電極
を有する第２の半導体素子層と、前記第１の半導体素子層と前記第２の半導体素子層との
間に、前記貫通電極を有する前記構造体を有し、前記貫通電極が、前記第１の電極及び前
記第２の電極を電気的に接続していることを特徴とする半導体装置に関する。
【００２１】
前記貫通電極は、銅（Ｃｕ）、銀（Ａｇ）、ニッケル（Ｎｉ）、金（Ａｕ）、白金（Ｐ
ｔ）、パラジウム（Ｐｄ）、タンタル（Ｔａ）、モリブデン（Ｍｏ）、チタン（Ｔｉ）の
いずれかを含む。
【００２２】
前記シート状繊維体は、ガラス繊維を有している。
【発明の効果】
【００２３】
アライメントの精度が向上した、高集積化された半導体集積回路を得ることができる。
【００２４】
またプリプレグの繊維体を壊すことなく貫通電極を設けることができるので、機械的強
度を維持し丈夫な半導体集積回路を得ることができる。
【００２５】
また、プリプレグ中の有機樹脂を、複数の半導体素子の固着材料として用いるので、複
数の半導体素子を高集積化して半導体装置を作製しても、その厚さを薄くすることができ
る。
【図面の簡単な説明】
【００２６】
【図１】シート状繊維体の上面図。
【図２】シート状繊維体の上面図。
【図３】シート状繊維体の断面図。
【図４】半導体素子層の断面図。
【図５】構造体の作製工程を示す断面図。
【図６】半導体回路素子の作製工程を示す断面図。
【図７】半導体回路素子の作製工程を示す断面図。
【図８】半導体回路素子の作製工程を示す断面図。
【図９】半導体回路素子の作製工程を示す断面図。
【図１０】半導体回路素子の作製工程を示す断面図。
【図１１】半導体回路素子の作製工程を示す断面図。
【図１２】半導体回路素子の作製工程を示す断面図。
【図１３】半導体回路素子の作製工程を示す斜視図。
【図１４】半導体回路素子の作製工程を示す斜視図。
【図１５】半導体回路素子の作製工程を示す斜視図。
【図１６】半導体回路素子の作製工程を示す斜視図。
【発明を実施するための形態】
【００２７】
以下、本発明の実施の態様について、図面を参照して説明する。但し、本発明は多くの
異なる態様で実施することが可能であり、本発明の趣旨及びその範囲から逸脱することな
くその形態及び詳細を様々に変更し得ることは当業者であれば容易に理解される。従って
、本実施の形態の記載内容に限定して解釈されるものではない。なお、以下に示す図面に
おいて、同一部分又は同様な機能を有する部分には同一の符号を付し、その繰り返しの説
明は省略する。
【００２８】
なお本明細書において、半導体装置とは、半導体を利用することで機能する素子及び装
置全般を指し、電子回路、液晶表示装置、発光装置等を含む電気装置およびその電気装置
を搭載した電子機器をその範疇とする。
【００２９】
［実施の形態１］
本実施の形態を、図１（Ａ）及び図１（Ｂ）、図２、図３、図４（Ａ）〜図４（Ｄ）、
図５（Ａ）及び図５（Ｂ）、図６（Ａ）〜図６（Ｄ）、図７（Ａ）〜図７（Ｅ）、図８（
Ａ）〜図８（Ｄ）、図９（Ａ）〜図９（Ｄ）、図１０（Ａ）及び図１０（Ｂ）、図１１（
Ａ）及び図１１（Ｂ）、図１２（Ａ）及び図１２（Ｂ）、図１３、図１４（Ａ）及び図１
４（Ｂ）、図１５（Ａ）及び図１５（Ｂ）、図１６を用いて説明する。
【００３０】
まずシート状繊維体１１３及び有機樹脂１１４を有する構造体（「プリプレグ」ともい
う）１２０について、図１（Ａ）及び図１（Ｂ）、図２、図３、図５（Ａ）及び図５（Ｂ
）を用いて説明する。
【００３１】
シート状繊維体１１３が糸束を経糸及び緯糸に使って製織した織布の上面図を図１（Ａ
）及び図１（Ｂ）に示し、その断面図を図５（Ａ）に示す。さらにシート状繊維体１１３
に有機樹脂１１４が含浸された構造体１２０の断面図を図５（Ｂ）に示す。
【００３２】
シート状繊維体１１３は、有機化合物または無機化合物の織布または不織布である。ま
たシート状繊維体１１３として、有機化合物または無機化合物の高強度繊維を用いてもよ
い。
【００３３】
また、シート状繊維体１１３は、繊維（単糸）の束（以下、糸束という。）を経糸及び
緯糸に使って製織した織布、または複数種の繊維の糸束をランダムまたは一方向に堆積さ
せた不織布で構成されてもよい。織布の場合、平織り、綾織り、繻子織り等適宜用いるこ
とができる。
【００３４】
糸束の断面は、円形でも楕円形でもよい。糸束として、高圧水流、液体を媒体とした高
周波の振動、連続超音波の振動、ロールによる押圧等によって、開繊加工をした糸束を用
いてもよい。開繊加工をした糸束は、糸束幅が広くなり、厚み方向の単糸数を削減するこ
とが可能であり、糸束の断面が楕円形または平板状となる。また、糸束として低撚糸を用
いることで、糸束が扁平化しやすく、糸束の断面形状が楕円形状または平板形状となる。
このように、断面が楕円形または平板状の糸束を用いることで、シート状繊維体１１３の
厚さを薄くすることが可能である。このため、構造体１２０の厚さを薄くすることが可能
であり、薄型の半導体装置を作製することができる。
【００３５】
図１（Ａ）に示すように、シート状繊維体１１３は、一定間隔をあけた経糸１１３ａ及
び一定間隔をあけた緯糸１１３ｂが織られている。このような繊維体には、経糸１１３ａ
及び緯糸１１３ｂが存在しない領域（本明細書では、「バスケットホール」１１３ｃとい
う）を有する。このようなシート状繊維体１１３は、有機樹脂１１４が繊維体に含浸され
る割合が高まり、シート状繊維体１１３の密着性を高めることができる。
【００３６】
また、図１（Ｂ）に示すように、シート状繊維体１１３は、経糸１１３ａ及び緯糸１１
３ｂの密度が高く、バスケットホール１１３ｃの割合が低いものでもよい。代表的には、
バスケットホール１１３ｃの大きさが、局所的に押圧される面積より小さいことが好まし
い。代表的には一辺が０．０１ｍｍ以上０．２ｍｍ以下の矩形であることが好ましい。シ
ート状繊維体１１３のバスケットホール１１３ｃの面積がこのように小さいと、先端の細
い部材（代表的には、ペンや鉛筆等の筆記用具）により押圧されても、当該圧力をシート
状繊維体１１３全体で吸収することが可能である。
【００３７】
また、糸束内部への有機樹脂１１４の浸透率を高めるため、糸束に表面処理が施されて
も良い。例えば、糸束表面を活性化させるためのコロナ放電処理、プラズマ放電処理等が
ある。また、シランカップリング材、チタネートカップリング材を用いた表面処理がある
。
【００３８】
また高強度繊維とは、具体的には引張弾性率が高い繊維である。または、ヤング率が高
い繊維である。高強度繊維の代表例としては、ポリビニルアルコール系繊維、ポリエステ
ル系繊維、ポリアミド系繊維、ポリエチレン系繊維、アラミド系繊維、ポリパラフェニレ
ンベンゾビスオキサゾール繊維、ガラス繊維、または炭素繊維である。ガラス繊維として
は、Ｅガラス、Ｓガラス、Ｄガラス、Ｑガラス等を用いたガラス繊維を用いることができ
る。なお、シート状繊維体１１３は、一種類の上記高強度繊維で形成されてもよい。また
、複数種類の上記高強度繊維で形成されてもよい。
【００３９】
シート状繊維体１１３に含浸される有機樹脂１１４は、エポキシ樹脂、不飽和ポリエス
テル樹脂、ポリイミド樹脂、ビスマレイミドトリアジン樹脂、またはシアネート樹脂等の
熱硬化性樹脂を用いることができる。また、ポリフェニレンオキシド樹脂、ポリエーテル
イミド樹脂、またはフッ素樹脂等の熱可塑性樹脂を用いることができる。また、上記熱可
塑性樹脂及び上記熱硬化性樹脂の複数を用いてもよい。上記有機樹脂を用いることで、熱
処理によりシート状繊維体を半導体素子層に固着することが可能である。なお、有機樹脂
１１４はガラス転移温度が高いほど、局所的押圧に対して破壊しにくいため好ましい。
【００４０】
有機樹脂１１４または繊維の糸束内に高熱伝導性フィラーを分散させてもよい。高熱伝
導性フィラーとしては、窒化アルミニウム、窒化ホウ素、窒化珪素、アルミナ等がある。
また、高熱伝導性フィラーとしては、銀、銅等の金属粒子がある。高熱伝導性フィラーが
有機樹脂または糸束内に含まれることにより素子層での発熱を外部に放出しやすくなるた
め、半導体装置の蓄熱を抑制することが可能であり、半導体装置の破壊を低減することが
できる。
【００４１】
なお図１（Ａ）及び図１（Ｂ）では、経糸及び緯糸をそれぞれ１本ずつ編んで形成した
シート状繊維体を示しているが、経糸及び緯糸の数はこれに限定されるものではない。経
糸及び緯糸の数はそれぞれ必要に応じて決めればよい。例えば、経糸及び緯糸をそれぞれ
１０本ずつ束ねたものを一束として編んで形成した、シート状繊維体の上面図を図２に、
断面図を図３に示す。なお図３においては、シート状繊維体１１３は有機樹脂１１４に含
浸されており、構造体１２０を形成している。
【００４２】
また図４（Ａ）〜図４（Ｄ）に、半導体素子層の断面図を示す。
【００４３】
図４（Ａ）において、半導体素子層５１は、絶縁膜５６上に、薄膜トランジスタ５２ａ
及び薄膜トランジスタ５２ｂ、絶縁膜６５、絶縁膜６６、絶縁膜６７を有している。薄膜
トランジスタ５２ａは、ソース領域またはドレイン領域である不純物領域５３ａ、並びに
、チャネル形成領域６３ａを有する半導体層、さらにゲート絶縁膜５４、ゲート電極５５
ａを有している。薄膜トランジスタ５２ｂは、ソース領域またはドレイン領域である不純
物領域５３ｂ、並びに、チャネル形成領域６３ｂを有する半導体層、さらにゲート絶縁膜
５４、ゲート電極５５ｂを有している。
【００４４】
薄膜トランジスタ５２ａの不純物領域５３ａ及び薄膜トランジスタ５２ｂの不純物領域
５３ｂには、一導電性を付与する不純物元素が含まれている。ｎ型を付与する不純物元素
として、リン（Ｐ）やヒ素（Ａｓ）などが用いられる。またｐ型を付与する不純物元素と
して、ホウ素（Ｂ）などが用いられる。不純物領域５３ａ及び不純物領域５３ｂには、そ
れぞれどちらか一方、あるいは両方同じ不純物元素が含まれていてもよい。本実施の形態
では、不純物領域５３ａはリン（Ｐ）が含まれているためｎ型不純物領域であり、不純物
領域５３ｂはホウ素（Ｂ）が含まれているためｐ型不純物領域であるとする。すなわち、
薄膜トランジスタ５２ａはｎチャネル型薄膜トランジスタ、薄膜トランジスタ５２ｂはｐ
チャネル型薄膜トランジスタとなる。
【００４５】
薄膜トランジスタ５２ａ及び薄膜トランジスタ５２ｂの半導体層はそれぞれ、厚さ１０
ｎｍ以上１００ｎｍ以下、より好ましくは２０ｎｍ以上７０ｎｍ以下の非単結晶半導体で
形成される層であり、非単結晶半導体層としては、結晶性半導体層、非晶質半導体層、微
結晶半導体層等がある。また、半導体としては、シリコン、ゲルマニウム、シリコンゲル
マニウム化合物等がある。特に、瞬間熱アニール（ＲＴＡ）又はファーネスアニール炉を
用いた熱処理により結晶化させた結晶性半導体、加熱処理とレーザビームの照射を組み合
わせて結晶化させた結晶性半導体を適用することが好ましい。加熱処理においては、シリ
コン半導体の結晶化を助長する作用のあるニッケルなどの金属元素を用いた結晶化法を適
用することができる。
【００４６】
加熱処理に加えてレーザビームを照射して結晶化する場合には、連続発振レーザビーム
の照射若しくは繰り返し周波数が１０ＭＨｚ以上であって、パルス幅が１ナノ秒以下、好
ましくは１乃至１００ピコ秒である高繰返周波数超短パルス光を照射することによって、
結晶性半導体が溶融した溶融帯を、当該レーザビームの照射方向に連続的に移動させなが
ら結晶化を行うことができる。このような結晶化法により、大粒径であって、結晶粒界が
一方向に延びる結晶性半導体を得ることができる。
【００４７】
ゲート絶縁膜５４は、厚さ５ｎｍ以上５０ｎｍ以下、好ましくは１０ｎｍ以上４０ｎｍ
以下の酸化珪素及び酸化窒化珪素などの無機絶縁物で形成する。
【００４８】
ゲート電極５５ａ及びゲート電極５５ｂは、金属または一導電型を与える不純物を添加
した多結晶半導体で形成することができる。金属を用いる場合は、タングステン（Ｗ）、
モリブデン（Ｍｏ）、チタン（Ｔｉ）、タンタル（Ｔａ）、アルミニウム（Ａｌ）などを
用いることができる。また、金属を窒化させた金属窒化物を用いることができる。或いは
、当該金属窒化物からなる第１層と当該金属から成る第２層とを積層させた構造としても
良い。このとき第１層を金属窒化物とすることで、バリアメタルとすることができる。す
なわち、第２層の金属が、ゲート絶縁層やその下層の半導体層に拡散することを防ぐこと
ができる。また、積層構造とする場合には、第１層の端部が第２層の端部より外側に突き
出した形状としても良い。
【００４９】
半導体層、ゲート絶縁膜５４、ゲート電極５５ａ、ゲート電極５５ｂなどを組み合わせ
て構成される薄膜トランジスタ５２ａ、薄膜トランジスタ５２ｂは、シングルドレイン構
造、ＬＤＤ（低濃度ドレイン）構造、ゲートオーバーラップドレイン構造など各種構造を
適用することができる。ここでは、シングルドレイン構造の薄膜トランジスタを示す。さ
らには、等価的には、同電位のゲート電圧が印加される複数のトランジスタが直列に接続
された形となるマルチゲート構造、半導体層の上下をゲート電極で挟むデュアルゲート構
造、絶縁膜５６上にゲート電極が形成され、ゲート電極上にゲート絶縁層、半導体層が形
成される逆スタガ型薄膜トランジスタ等を適用することができる。
【００５０】
ソース領域またはドレイン領域である不純物領域５３ａ、あるいは不純物領域５３ｂに
接する配線５７ａ、配線５７ｂ、配線５８ａ、配線５８ｂは、チタン（Ｔｉ）とアルミニ
ウム（Ａｌ）の積層構造、モリブデン（Ｍｏ）とアルミニウム（Ａｌ）との積層構造など
、アルミニウム（Ａｌ）のような低抵抗材料と、チタン（Ｔｉ）やモリブデン（Ｍｏ）な
どの高融点金属材料を用いたバリアメタルとの組み合わせで形成することが好ましい。
【００５１】
なお、薄膜トランジスタとして金属酸化物や有機半導体材料を半導体層に用いた薄膜トラ
ンジスタを用いることが可能である。金属酸化物の代表例には酸化亜鉛や亜鉛ガリウムイ
ンジウムの酸化物等がある。
【００５２】
半導体素子層５１を有する半導体装置の代表例として、他の装置の制御やデータの計算
・加工を行なうマイクロプロセッサ（ＭＰＵ）がある。ＭＰＵは、ＣＰＵ、メインメモリ
、コントローラ、インターフェース、Ｉ／Ｏポート等を有し、これらを薄膜トランジスタ
、抵抗素子、容量素子、配線等で構成することができる。
【００５３】
さらに半導体素子層５１として、液晶表示装置の駆動装置、ＥＬ表示装置の駆動装置、
電気泳動装置の駆動回路が挙げられる。これらは薄膜トランジスタ、抵抗素子、容量素子
、配線等で構成することが可能である。
【００５４】
図４（Ｂ）に示す記憶素子６２は、チャネル形成領域９１及び不純物領域９２を有する
半導体層、トンネル酸化層６４、フローティングゲート９３、コントロール絶縁層９４、
コントロールゲート９５で構成される不揮発性記憶素子である。
【００５５】
トンネル酸化層６４は、厚さ１ｎｍ〜１０ｎｍ、好ましくは１ｎｍ〜５ｎｍの酸化珪素
若しくは酸化珪素と窒化珪素の積層構造を減圧ＣＶＤ法やプラズマＣＶＤ法などで形成す
ることができる。また、プラズマ処理により半導体層を酸化又は窒化することによりトン
ネル酸化層を形成することができる。さらには、プラズマＣＶＤ法により形成した酸化珪
素をプラズマ処理により酸化又は窒化してもよい。当該プラズマ処理して形成した絶縁層
は、緻密で絶縁耐圧が高く信頼性に優れている。
【００５６】
フローティングゲート９３は、導電層、ポリシリコン層、シリコンドット等で形成する
ことができる。また、フローティングゲートの代わりに、窒化珪素、窒化ゲルマニウム等
で形成された電荷蓄積層を用いてもよい。
【００５７】
コントロール絶縁層９４は、酸化珪素、窒化珪素、酸窒化珪素、酸化アルミニウムなど
の一層若しくは複数層を、減圧ＣＶＤ法やプラズマＣＶＤ法などで形成する。コントロー
ル絶縁層９４の厚さは１ｎｍ〜２０ｎｍ、好ましくは５〜１０ｎｍで形成する。
【００５８】
コントロールゲート９５は、図４（Ａ）に示すゲート電極５５ａまたはゲート電極５５
ｂと同様の材料で形成すればよい。
【００５９】
記憶素子６２を駆動するための駆動素子として薄膜トランジスタ５２ｂを形成してもよ
い。
【００６０】
記憶素子６２及び薄膜トランジスタ５２ｂを形成したら、記憶素子６２及び薄膜トラン
ジスタ５２ｂを覆って、絶縁膜６５及び絶縁膜６６を形成する。絶縁膜６６上に、不純物
領域９２と電気的に接続する配線９７及び配線９８を形成する。薄膜トランジスタ５２ｂ
については、上述したように配線５７ｂ及び５８ｂが形成される。絶縁膜６６、配線９７
、配線９８、配線５７ｂ、配線５８ｂを覆って、絶縁膜６７が形成される。これにより、
記憶素子６２を含む半導体素子層６１が作製される。
【００６１】
また記憶素子としては、記憶素子６２の構成以外に、電荷蓄積層を有する不揮発性記憶
素子、薄膜トランジスタ及びそれに接続される容量素子、薄膜トランジスタ及びそれに接
続される強誘電層を有する容量素子、一対の電極の間に有機化合物層が挟まれる有機メモ
リ素子等がある。
【００６２】
また、このような記憶素子を有する半導体装置としては、ＤＲＡＭ（Ｄｙｎａｍｉｃ  
Ｒａｎｄｏｍ  Ａｃｃｅｓｓ  Ｍｅｍｏｒｙ）、ＳＲＡＭ（Ｓｔａｔｉｃ  Ｒａｎｄｏｍ
Ａｃｃｅｓｓ  Ｍｅｍｏｒｙ）、ＦｅＲＡＭ（Ｆｅｒｒｏｅｌｅｃｔｒｉｃ  Ｒａｎｄ
ｏｍ  Ａｃｃｅｓｓ  Ｍｅｍｏｒｙ）、マスクＲＯＭ（Ｒｅａｄ  Ｏｎｌｙ  Ｍｅｍｏｒ
ｙ）、ＥＰＲＯＭ（Ｅｌｅｃｔｒｉｃａｌｌｙ  Ｐｒｏｇｒａｍｍａｂｌｅ  Ｒｅａｄ  
Ｏｎｌｙ  Ｍｅｍｏｒｙ）、ＥＥＰＲＯＭ（Ｅｌｅｃｔｒｉｃａｌｌｙ  Ｅｒａｓａｂｌ
ｅ  ａｎｄ  Ｐｒｏｇｒａｍｍａｂｌｅ  Ｒｅａｄ  Ｏｎｌｙ  Ｍｅｍｏｒｙ）、フラッ
シュメモリ等の記憶装置がある。
【００６３】
図４（Ｃ）に示すフォトダイオード７２は、第１の電極として機能する配線５８ａ、受
光部７３、及び第２の電極７４で構成されている。受光部７３は、非晶質または結晶質の
シリコンを有する半導体層で形成することができる。この代表例としては、シリコン層、
シリコンゲルマニウム層、炭化シリコン層、又はこれらのＰＮ接合層、ＰＩＮ接合層が挙
げられる。
【００６４】
薄膜トランジスタ５２ａは、配線５８ａを介して電気的にフォトダイオード７２と接続
されており、駆動素子として機能する。薄膜トランジスタ５２ａ上に絶縁膜６５及び絶縁
膜６６を形成する。絶縁膜６６上に薄膜トランジスタ５２ａの不純物領域に電気的に接続
される配線５７ａ及び配線５８ａを形成する。また絶縁膜６６上に、配線５８ａに電気的
に接続される受光部７３、受光部７３上に第２の電極７４を形成する。
【００６５】
絶縁膜６６、配線５７ａ、配線５８ａ、受光部７３、第２の電極７４を覆って絶縁膜６
７を形成する。これにより、フォトダイオード７２及び薄膜トランジスタ５２ａを有する
半導体素子層７１が作製される。
【００６６】
図４（Ｃ）に示すフォトダイオード７２を有する半導体装置としては、光センサ、太陽
電池等がある。
【００６７】
また、図４（Ｄ）に示す半導体素子層８１は、薄膜トランジスタ５２ａ及び薄膜トラン
ジスタ５２ｂ、並びに、薄膜トランジスタ５２ａまたは５２ｂに電気的に接続し絶縁膜６
６上に形成される電極８４、電極８４に電気的に接続し絶縁膜６７上に形成されるアンテ
ナ８３を有している。電極８４は、薄膜トランジスタ５２ａまたは薄膜トランジスタ５２
ｂに電気的に接続する配線５７ａ、配線５８ａ、配線５７ｂ、配線５８ｂと同様の材料及
び同様の作製工程により形成すればよい。
【００６８】
図４（Ｄ）に示すアンテナ８３は、銀（Ａｇ）、金（Ａｕ）、銅（Ｃｕ）、ニッケル（
Ｎｉ）、白金（Ｐｔ）、パラジウム（Ｐｄ）、タンタル（Ｔａ）、モリブデン（Ｍｏ）お
よびチタン（Ｔｉ）等のいずれか一つ以上の金属粒子を有する液滴やペーストを液滴吐出
法（インクジェット法、ディスペンス法など）により吐出し、乾燥焼成して形成する。液
滴吐出法によりアンテナを形成することで、工程数の削減が可能であり、それに伴うコス
ト削減が可能である。
【００６９】
また、スクリーン印刷法を用いてアンテナ８３を形成してもよい。スクリーン印刷法を
用いる場合、アンテナ８３の材料としては、粒径が数ｎｍから数十μｍの導電性粒子を有
機樹脂に溶解または分散させた導電性ペーストを選択的に印刷する。導電性粒子としては
、銀（Ａｇ）、金（Ａｕ）、銅（Ｃｕ）、ニッケル（Ｎｉ）、白金（Ｐｔ）、パラジウム
（Ｐｄ）、タンタル（Ｔａ）、モリブデン（Ｍｏ）およびチタン（Ｔｉ）等のいずれか一
つ以上の金属粒子やハロゲン化銀の微粒子、または分散性ナノ粒子を用いることができる
。また、導電性ペーストに含まれる有機樹脂は、金属粒子のバインダー、溶媒、分散材お
よび被覆材として機能する有機樹脂から選ばれた一つまたは複数を用いることができる。
代表的には、エポキシ樹脂、シリコーン樹脂等の有機樹脂が挙げられる。また、導電層の
形成にあたり、導電性のペーストを印刷した後に焼成することが好ましい。
【００７０】
また、アンテナ８３は、スクリーン印刷法の他にもグラビア印刷等を用いてもよいし、
メッキ法、スパッタリング法等を用いて、導電性材料により形成することができる。
【００７１】
図４（Ｄ）に示す半導体素子層８１を有する半導体装置の代表例としては、無線で情報
を送受信することが可能なＩＤタグ、ＩＣタグ、ＲＦ（Ｒａｄｉｏ  Ｆｒｅｑｕｅｎｃｙ
）タグ、無線タグ、電子タグ、ＲＦＩＤ（Ｒａｄｉｏ  Ｆｒｅｑｕｅｎｃｙ  Ｉｄｅｎｔ
ｉｆｉｃａｔｉｏｎ）タグ、ＩＣカード、ＩＤカード等（以下、ＲＦＩＤと示す。）があ
る。また、本実施の形態の半導体装置は、薄膜トランジスタ等で構成される集積回路部と
アンテナを封止したインレットや、当該インレットをシール状やカード状にしたものを含
む。さらに本実施の形態で述べられる電気的接続方法は、ＲＦＩＤのアンテナと集積回路
部の接続部分に用いることが可能である。
【００７２】
また、ＲＦＩＤの信号の伝送方式として、電磁結合方式または電磁誘導方式（例えば１
３．５６ＭＨｚ帯）を適用する。磁束密度の変化による電磁誘導を利用する場合、アンテ
ナの上面形状を輪状（例えば、ループアンテナ）、らせん状（例えば、スパイラルアンテ
ナ）に形成することができる。
【００７３】
また、ＲＦＩＤにおける信号の伝送方式として、マイクロ波方式（例えば、ＵＨＦ帯（
８６０〜９６０ＭＨｚ帯）、２．４５ＧＨｚ帯等）を適用することもできる。その場合に
は、信号の伝送に用いる電磁波の波長を考慮してアンテナの長さ等の形状を適宜設定すれ
ばよい。
【００７４】
次いで、図４（Ａ）に示す半導体素子層５１を用いた例を、図６（Ａ）〜図６（Ｄ）、
図７（Ａ）〜図７（Ｅ）、図８（Ａ）〜図８（Ｄ）、図９（Ａ）〜図９（Ｄ）、図１０（
Ａ）及び図１０（Ｂ）、図１１（Ａ）及び図１１（Ｂ）、図１２（Ａ）及び図１２（Ｂ）
、図１３、図１４（Ａ）及び図１４（Ｂ）、図１５（Ａ）及び図１５（Ｂ）、図１６を用
いて説明する。ただし、半導体素子層として、半導体素子層５１に限定されるものではな
く、他の構造を有する半導体素子層を用いてもよい。
【００７５】
まず、絶縁表面を有する基板１１１上に剥離層１１２を形成する。
【００７６】
絶縁表面を有する基板１１１としては、半導体素子層５１を形成する温度に耐えうる基
板を用いることが好ましく、代表的にはガラス基板、石英基板、セラミック基板、絶縁層
が少なくとも一表面に形成された金属基板、有機樹脂基板等を用いることができる。ここ
では、絶縁表面を有する基板１１１としてガラス基板を用いる。
【００７７】
また後の工程で半導体素子層５１と他の素子層を重ねて配置するのを、基板１１１上で
行うので、基板１１１としては、重ね合わせのアライメントをとりやすい大きさや材料を
選ぶ必要がある。
【００７８】
剥離層１１２は、スパッタリング法やプラズマＣＶＤ法、塗布法、印刷法等により、厚
さ３０ｎｍ〜２００ｎｍのタングステン（Ｗ）、モリブデン（Ｍｏ）、チタン（Ｔｉ）、
タンタル（Ｔａ）、ニオブ（Ｎｂ）、ニッケル（Ｎｉ）、コバルト（Ｃｏ）、ジルコニウ
ム（Ｚｒ）、亜鉛（Ｚｎ）、ルテニウム（Ｒｕ）、ロジウム（Ｒｈ）、パラジウム（Ｐｄ
）、オスミウム（Ｏｓ）、イリジウム（Ｉｒ）、及び珪素（Ｓｉ）の中から選択された元
素、又は元素を主成分とする合金材料、又は元素を主成分とする化合物からなる層を、単
層または複数の層を積層させて形成する。珪素を含む層の結晶構造は、非晶質、微結晶、
多結晶のいずれの場合でもよい。なお、ここでは、塗布法は、溶液を被処理物上に吐出さ
せて成膜する方法であり、例えばスピンコーティング法や液滴吐出法を含む。また、液滴
吐出法とは微粒子を含む組成物の液滴を微細な孔から吐出して所定の形状のパターンを形
成する方法である。
【００７９】
剥離層１１２が単層構造の場合、好ましくは、タングステン、モリブデン、又はタング
ステンとモリブデンの混合物を含む層を形成する。又は、タングステンの酸化物若しくは
酸化窒化物を含む層、モリブデンの酸化物若しくは酸化窒化物を含む層、又はタングステ
ンとモリブデンの混合物の酸化物若しくは酸化窒化物を含む層を形成する。なお、タング
ステンとモリブデンの混合物とは、例えば、タングステンとモリブデンの合金に相当する
。
【００８０】
剥離層１１２が積層構造の場合、好ましくは、１層目として金属層を形成し、２層目と
して金属酸化物層を形成する。代表的には、１層目の金属層として、タングステン、モリ
ブデン、又はタングステンとモリブデンの混合物を含む層を形成し、２層目として、タン
グステン、モリブデン、又はタングステンとモリブデンの混合物の酸化物、タングステン
、モリブデン、又はタングステンとモリブデンの混合物の窒化物、タングステン、モリブ
デン、又はタングステンとモリブデンの混合物の酸化窒化物、又はタングステン、モリブ
デン、又はタングステンとモリブデンの混合物の窒化酸化物を含む層を形成する。
【００８１】
剥離層１１２として、１層目として金属層、２層目として金属酸化物層の積層構造を形
成する場合、金属層としてタングステンを含む層を形成し、その上層に酸化物で形成され
る絶縁層を形成することで、タングステンを含む層と絶縁層との界面に、金属酸化物層と
してタングステンの酸化物を含む層が形成されることを活用してもよい。さらには、金属
層の表面を、熱酸化処理、酸素プラズマ処理、オゾン水等の酸化力の強い溶液での処理等
を行って金属酸化物層を形成してもよい。
【００８２】
タングステンの酸化物は、ＷＯ２、Ｗ２Ｏ５、Ｗ４Ｏ１１、ＷＯ３などがある。
【００８３】
また、上記の工程によると、絶縁表面を有する基板１１１に接するように剥離層１１２
を形成しているが、この工程に制約されない。絶縁表面を有する基板１１１に接するよう
に下地となる絶縁層を形成し、その絶縁層に接するように剥離層１１２を設けてもよい。
ここでは、剥離層１１２として厚さ３０ｎｍ〜７０ｎｍのタングステン層をスパッタリン
グ法により形成する。
【００８４】
剥離層１１２上に、下地層として機能する絶縁膜５６が形成される。絶縁膜５６上には
、不純物領域５３ａ及びチャネル形成領域６３ａを含む島状半導体膜１６１、不純物領域
５３ｂ及びチャネル形成領域６３ｂを含む島状半導体膜１６２が形成されており、島状半
導体膜１６１及び島状半導体膜１６２を覆って、ゲート絶縁膜５４が形成されている。ま
た、ゲート絶縁膜５４上であり、かつ、チャネル形成領域６３ａ上にはゲート電極５５ａ
、チャネル形成領域６３ｂ上にはゲート電極５５ｂが形成されている（図６（Ａ）参照）
。
【００８５】
なお不純物領域５３ａに添加される一導電性を付与する不純物元素は、ゲート電極５５
ａをマスクとして添加されている。また不純物領域５３ｂに添加される一導電性を付与す
る不純物元素は、ゲート電極５５ｂをマスクとして添加されている。不純物領域５３ａと
不純物領域５３ｂに添加されている不純物元素は、同じであってもよいし、それぞれ逆の
導電性を有していてもよい。
【００８６】
次いでゲート絶縁膜５４、ゲート電極５５ａ、ゲート電極５５ｂを覆って、絶縁膜６５
、さらにその上に絶縁膜６６を形成する（図６（Ｂ）参照）。
【００８７】
絶縁膜６５は、例えば窒化珪素膜を用いて形成すればよい。また絶縁膜６６は、酸化珪
素膜、窒化珪素膜、酸素を含む窒化珪素膜、窒素を含む酸化珪素膜のいずれか１つ、ある
いは複数を積層した積層膜、さらにあるいは、有機絶縁膜を用いて形成すればよい。
【００８８】
絶縁膜６６上に、島状半導体膜１６１中の不純物領域５３ａに電気的に接続する配線５
７ａ及び配線５８ａを形成する。また絶縁膜６６上に、島状半導体膜１６２中の不純物領
域５３ｂに電気的に接続する配線５７ｂ及び配線５８ｂを形成する（図６（Ｃ）参照）。
【００８９】
次いで、絶縁膜６６、配線５７ａ、配線５８ａ、配線５７ｂ、配線５８ｂを覆って絶縁
膜６７を形成する。絶縁膜６７は、酸化珪素膜、窒化珪素膜、酸素を含む窒化珪素膜、窒
素を含む酸化珪素膜のいずれか１つ、あるいは複数を積層した積層膜、さらにあるいは、
有機絶縁膜を用いて形成すればよい。
【００９０】
次いで、絶縁膜６７上に配線５８ｂと電気的に接続する配線１０４を形成する（図６（
Ｄ）参照）。配線１０４は、配線５８ｂと同様の材料で形成すればよい。配線１０４は、
バンプとも言い、半導体素子層５１と後に形成される導電性樹脂１０１を電気的に接続さ
せる機能を有する。本実施の形態では、基板１１１、剥離層１１２、半導体素子層５１を
合わせて、半導体回路素子１５１とする。
【００９１】
また配線１０４は、剥離層１１２に達するように形成する。これにより、後の工程で半
導体素子層５１が剥離され、他の素子層重ねて配置されたときに、半導体素子層５１と他
の素子層を電気的に接続することができる。
【００９２】
配線１０４を形成後、あるいは形成前に、絶縁膜５６、ゲート絶縁膜５４、絶縁膜６５
、絶縁膜６６、絶縁膜６７の端部をエッチングし、剥離層１１２を露出させる。剥離層１
１２を露出させることで、後の工程で重ね合わせた複数の素子層が剥離しやすくなる。
【００９３】
次いで、図６（Ａ）〜図６（Ｄ）に示す作製工程に基づいて、基板１１７、剥離層１１
２、配線１０５を有する半導体素子層５９を形成する（図７（Ａ）参照）。基板１１７は
基板１１１と同様のものを用いてもよい。配線１０５は配線１０４と同様の材料や同様の
材料を用いて形成してもよいし、異なる材料や異なる形成方法で形成してもよい。また図
７（Ａ）において、半導体素子層５９は半導体素子層５１と同様の構造を有している。た
だし、絶縁膜５６、ゲート絶縁膜５４、絶縁膜６５、絶縁膜６６、絶縁膜６７の端部をエ
ッチングする必要はない。
【００９４】
次に、絶縁膜６７及び配線１０５上に、シート状繊維体１１３に有機樹脂１１４が含浸
された構造体１２０を設ける（図７（Ｂ）参照）。このような構造体１２０は、プリプレ
グとも呼ばれる。プリプレグは、具体的にはシート状繊維体にマトリックス樹脂を有機溶
剤で希釈した組成物を含浸させた後、乾燥して有機溶剤を揮発させてマトリックス樹脂を
半硬化させたものである。
【００９５】
なお、本明細書の図面においては、シート状繊維体１１３は、断面が楕円形の糸束で平
織りした織布で示されている。また、薄膜トランジスタ５２ａや薄膜トランジスタ５２ｂ
がシート状繊維体１１３の糸束よりも大きいが、薄膜トランジスタ５２ａや薄膜トランジ
スタ５２ｂの大きさがシート状繊維体１１３の糸束よりも小さい場合もある。
【００９６】
次いで、構造体１２０上、かつ配線１０５上に、導電性樹脂１０１を配置する（図７（
Ｃ）参照）。本実施の形態では、導電性樹脂１０１として金属元素を含む導電ペースト、
例えば銀ペーストを用いる。金属元素は、金属粒子として導電ペーストに含まれていれば
よい。
【００９７】
また導電ペーストは、好ましくは、銅（Ｃｕ）、銀（Ａｇ）、ニッケル（Ｎｉ）、金（
Ａｕ）、白金（Ｐｔ）、パラジウム（Ｐｄ）、タンタル（Ｔａ）、モリブデン（Ｍｏ）、
チタン（Ｔｉ）のいずれかを含むペーストであればよい。
【００９８】
構造体１２０上に導電性樹脂１０１に配置する方法は、スクリーン印刷やインクジェッ
ト法を用いればよい。
【００９９】
構造体１２０上に導電性樹脂１０１を配置すると、構造体１２０中の有機樹脂１１４と
導電性樹脂１０１の成分、例えば導電ペーストを用いる場合はペーストが反応し、有機樹
脂１１４の一部が溶解し、導電性樹脂１０１中の金属粒子がシート状繊維体１１３の隙間
を通り抜け、導電性樹脂１０１が最初に形成された面（第１の面）の反対の面（第２の面
）にまで金属粒子が移動する。これにより構造体１２０の内部に貫通電極が形成される（
図７（Ｄ）参照）。なお構造体１２０の第２の面での導電性樹脂１０１の面積は、第１の
面積での面積よりも小さくてもよく、また大きくてもよい。すなわち、導電性樹脂１０１
の構造体１２０の内部への移動は、収斂しながらの移動でも、広がりながらの移動でもよ
い。
【０１００】
構造体１２０に貫通孔（コンタクトホールともいう）を形成しない、すなわちシート状
繊維体１１３を分断しないことで、構造体１２０の強度を維持したまま、構造体１２０の
一方の面と他方の面を電気的に接続させることができる。
【０１０１】
その後加熱工程及び圧着工程を行い、構造体１２０中の溶けなかった有機樹脂１１４を
硬化させる（図７（Ｅ）参照）。本実施の形態では硬化した有機樹脂を、有機樹脂１１６
とする。なお、有機樹脂１１４が可塑性有機樹脂の場合、この後、室温に冷却することに
より可塑化した有機樹脂１１４を硬化する。
【０１０２】
次に、図８（Ａ）に示すように、後の剥離工程を容易に行うために、構造体１２０側か
ら、構造体１２０、半導体素子層５９及び剥離層１１２にレーザビーム１２２を照射して
、図８（Ｂ）に示すような溝１２３を形成してもよい。溝１２３を形成するために照射す
るレーザビームとしては、剥離層１１２、半導体素子層５９、または構造体１２０を構成
する層のいずれかが吸収する波長を有するレーザビームが好ましく、代表的には、紫外領
域、可視領域、又は赤外領域のレーザビームを適宜選択して照射する。
【０１０３】
このようなレーザビームを発振することが可能なレーザ発振器としては、ＫｒＦ、Ａｒ
Ｆ、ＸｅＣｌ等のエキシマレーザ発振器、Ｈｅ、Ｈｅ−Ｃｄ、Ａｒ、Ｈｅ−Ｎｅ、ＨＦ、
ＣＯ２等の気体レーザ発振器、ＹＡＧ、ＧｄＶＯ４、ＹＶＯ４、ＹＬＦ、ＹＡｌＯ３など
の結晶にＣｒ、Ｎｄ、Ｅｒ、Ｈｏ、Ｃｅ、Ｃｏ、Ｔｉ又はＴｍをドープした結晶、ガラス
、ルビー等の固体レーザ発振器、ＧａＮ、ＧａＡｓ、ＧａＡｌＡｓ、ＩｎＧａＡｓＰ等の
半導体レーザ発振器を用いることができる。なお、その固体レーザ発振器においては基本
波〜第５高調波を適宜適用するのが好ましい。
【０１０４】
次に、図８（Ｃ）に示すように、溝１２３をきっかけとして、剥離層１１２及び絶縁膜
５６の界面において、剥離層１１２が形成される絶縁表面を有する基板１１７と、半導体
素子層５９の一部及び構造体１２０の一部とを物理的手段により剥離する。本実施の形態
では、剥離した半導体素子層５９の一部及び構造体１２０の一部を、半導体回路素子１５
２とする（図８（Ｄ）参照）。
【０１０５】
物理的手段とは、力学的手段または機械的手段を指し、何らかの力学的エネルギー（機
械的エネルギー）を加える手段を指しており、その手段は、代表的には機械的な力を加え
ること（例えば人間の手や把治具で引き剥がす処理や、ローラを回転させながら分離する
処理）である。このとき、構造体１２０表面に光または熱により剥離可能な粘着シートを
設けると、さらに剥離が容易となる。
【０１０６】
また、溝１２３に液体を滴下し、剥離層１１２及び絶縁膜５６の界面に液体を浸透させ
て剥離層１１２から半導体素子層５９を剥離してもよい。この場合、溝１２３にのみ液体
を滴下してもよいし、または絶縁表面を有する基板１１７、半導体素子層５９、及び構造
体１２０全体を液体に浸して、溝１２３から剥離層１１２及び半導体素子層５９の界面に
液体を浸透させても良い。
【０１０７】
また、図８（Ｂ）において、溝１２３にＮＦ３、ＢｒＦ３、ＣｌＦ３等のフッ化ガスを
導入し、剥離層をフッ化ガスでエッチングし除去して、絶縁表面を有する基板１１７から
半導体素子層５９の一部を剥離する方法を用いることができる。
【０１０８】
以上にして、構造体１２０に貫通孔を形成せずに、構造体１２０の一方の面に接して形
成された半導体素子層５９と、構造体１２０の他方の面に形成される端子、配線、回路、
他の半導体素子等を電気的に接続させることができる半導体装置を得ることができる。
【０１０９】
なお、半導体素子層５９に複数の半導体装置が含まれる場合、半導体素子層５９及び構
造体１２０を分断して、複数の半導体装置を切り出してもよい。このような工程により、
複数の半導体装置を作製することができる。
【０１１０】
半導体素子層５９及び構造体１２０を分断して複数の半導体装置を作製する際は、ダイ
シング、スクライビング、はさみやナイフなどの刃物を有する裁断機、又はレーザカット
法等により選択的に分断することができる。
【０１１１】
ここで、半導体回路素子１５１と半導体回路素子１５２を固着する固着シート１５３を
、図９（Ａ）〜図９（Ｄ）、図１０（Ａ）〜図１０（Ｂ）、図１１（Ａ）〜図１１（Ｂ）
、図１２（Ａ）〜図１２（Ｂ）、図１３、図１４（Ａ）〜図１４（Ｂ）、図１５（Ａ）〜
図１５（Ｂ）、図１６を用いて説明する。なお、図１３は図９（Ｄ）の斜視図、図１４（
Ａ）は図１０（Ａ）の斜視図、図１４（Ｂ）は図１０（Ｂ）の斜視図、図１５（Ａ）は図
１１（Ａ）の斜視図、図１５（Ｂ）は図１１（Ｂ）の斜視図、図１６は図１２（Ａ）の斜
視図である。
【０１１２】
まずシート状繊維体１１３に未硬化の有機樹脂１１４を含浸させた構造体１２１を用意
する（図９（Ａ）参照）。構造体１２１は、構造体１２０と同様の材料及び同様の構造を
用いればよいが、必要であれば異なる材料及び構造を用いてもよい。後の工程で貼り合わ
せる半導体回路素子１５１の配線１０５及び半導体回路素子１５２の配線１０４あるいは
導電性樹脂１０１の位置に合わせて、有機樹脂１１４上に導電性樹脂２０１を配置させる
（図９（Ｂ）参照）。導電性樹脂２０１の材料は、導電性樹脂１０１の材料と同じであっ
てもよいし、必要であれば異なる材料を用いてもよい。
【０１１３】
未硬化の有機樹脂１１４上に導電性樹脂２０１を配置すると、有機樹脂１１４と導電性
樹脂２０１の成分、例えば導電ペーストを用いる場合はペーストが反応し、有機樹脂１１
４の一部が溶解し、導電性樹脂２０１中の金属粒子がシート状繊維体１１３の隙間を通り
抜け、導電性樹脂２０１が最初に形成された面（第１の面）の反対の面（第２の面）にま
で金属粒子が移動する。これにより構造体１２１の内部に通電領域が形成される（図９（
Ｃ）参照）。本実施の形態では、図９（Ｃ）に示す構造を固着シート１５３とする。
【０１１４】
次いで、半導体回路素子１５１、固着シート１５３、半導体回路素子１５２の位置決め
を行う（図９（Ｄ）及び図１３参照）。半導体回路素子１５１の基板１１１上に、固着シ
ート１５３及び半導体回路素子１５２を貼り合わせるので、位置合わせが容易である。
【０１１５】
また、半導体回路素子１５１の配線１０４、固着シート１５３の導電性樹脂２０１、半
導体回路素子１５２の配線１０５の位置を合わせて、それぞれを重なり合わせて、後の工
程で固着させた後に導通するように配置する。
【０１１６】
半導体回路素子１５１、固着シート１５３、半導体回路素子１５２の位置決めを行った
後、それぞれを貼り合わせる（図１０（Ａ）及び図１４（Ａ）参照）。なお、ここでは固
着シート１５３の有機樹脂１１４が未硬化なので、それぞれはまだ固着しない。
【０１１７】
次いで加熱工程を行い、固着シート１５３の有機樹脂１１４を硬化して、有機樹脂１１
６とする。これにより半導体回路素子１５１、固着シート１５３、半導体回路素子１５２
を貼り合わせる（図１０（Ｂ）及び図１４（Ｂ）参照）。
【０１１８】
次いで、半導体回路素子１５１の露出した剥離層１１２を、レーザビーム１２２によっ
て照射する（図１１（Ａ）及び図１５（Ａ）参照）。
【０１１９】
レーザビーム１２２を剥離層１１２に照射することにより、溝１１５が形成される。溝
１１５をきっかけとして、物理的な手段により基板１１１を剥離する（図１１（Ｂ）及び
図１５（Ｂ）参照）。
【０１２０】
以上のようにして、積層された半導体回路素子１５５が作製される（図１２（Ａ）及び
図１６参照）。さらに半導体素子層を積層する場合は、基板１１１を有する半導体回路素
子１５１、未硬化の有機樹脂を有する固着シート１５３、及び半導体回路素子１５５を重
ね合わせ、固着シート１５３の有機樹脂を硬化させることにより、これらを貼り合わせれ
ばよい（図１２（Ｂ）参照）。
【０１２１】
本実施の形態により、高集積化された半導体回路素子を得ることができる。複数の半導
体回路素子を貼り合わせる際に、基準となる基板１１１上で行うため、アライメントの精
度を高くすることができる。
【符号の説明】
【０１２２】
５１    半導体素子層
５２ａ    薄膜トランジスタ
５２ｂ    薄膜トランジスタ
５３ａ    不純物領域
５３ｂ    不純物領域
５４    ゲート絶縁膜
５５ａ    ゲート電極
５５ｂ    ゲート電極
５６    絶縁膜
５７ａ    配線
５７ｂ    配線
５８ａ    配線
５８ｂ    配線
５９    半導体素子層
６１    半導体素子層
６２    記憶素子
６３ａ    チャネル形成領域
６３ｂ    チャネル形成領域
６４    トンネル酸化層
６５    絶縁膜
６６    絶縁膜
６７    絶縁膜
７１    半導体素子層
７２    フォトダイオード
７３    受光部
７４    電極
８１    半導体素子層
８３    アンテナ
８４    電極
９１    チャネル形成領域
９２    不純物領域
９３    フローティングゲート
９４    コントロール絶縁層
９５    コントロールゲート
９７    配線
９８    配線
１０１    導電性樹脂
１０４    配線
１０５    配線
１１１    基板
１１２    剥離層
１１３    シート状繊維体
１１３ａ    経糸
１１３ｂ    緯糸
１１３ｃ    バスケットホール
１１４    有機樹脂
１１５    溝
１１６    有機樹脂
１１７    基板
１２０    構造体
１２１    構造体
１２２    レーザビーム
１２３    溝
１５１    半導体回路素子
１５２    半導体回路素子
１５３    固着シート
１５５    半導体回路素子
１６１    島状半導体膜
１６２    島状半導体膜
２０１    導電性樹脂
【図１】
2014135516.tif 000003
【図２】
2014135516.tif 000004
【図３】
2014135516.tif 000005
【図４】
2014135516.tif 000006
【図５】
2014135516.tif 000007
【図６】
2014135516.tif 000008
【図７】
2014135516.tif 000009
【図８】
2014135516.tif 000010
【図９】
2014135516.tif 000011
【図１０】
2014135516.tif 000012
【図１１】
2014135516.tif 000013
【図１２】
2014135516.tif 000014
【図１３】
2014135516.tif 000015
【図１４】
2014135516.tif 000016
【図１５】
2014135516.tif 000017
【図１６】
2014135516.tif 000018